(57)【要約】【課題】各種電子機器に使用される開閉装置に関し、簡易な構成で、開閉操作の確実なものを提供することを目的とする。【解決手段】固定体１１と可動体１４の間に略円筒状のロータ１８を配置し、ロータ１８両端と固定体１１及び可動体１４の対向面に、所定の間隙Ｌ１、Ｌ２を空けたカム部を設けると共に、固定軸２外周とロータ１８内周の間に潤滑層１９を形成することによって、可動体１４がある程度回転して可動体１４とロータ１８のカム部１４Ａと１８Ｂが当接した後、開ききるまでの間は、潤滑層１９の粘性が可動体１４に加わり、可動体１４の回転が緩やかになるため、開いた時の衝撃が少なく、簡易な構成で確実な開閉操作が可能な開閉装置を得ることができる。【選択図】図１
2006153227.tif 000002
【特許請求の範囲】
【請求項１】
側面中央に固定軸が突出した固定体と、この固定体に対し回転可能に配置された可動体と、この可動体を上記固定体に対し開方向へ付勢するばねと、上記固定体と可動体の間に配置された略円筒状のロータと、これらを収納した略円筒状の可動ケースからなり、上記ロータ両端と上記固定体及び可動体の対向面に、所定の間隙を空けたカム部を設けると共に、上記固定軸外周とロータ内周の間に潤滑層を形成した開閉装置。
【請求項２】
固定体外周と可動ケース内周の間に潤滑層を形成した請求項１記載の開閉装置。
【発明の詳細な説明】
【技術分野】
【０００１】
本発明は、携帯電話やパーソナルコンピュータ等の、各種電子機器に使用される開閉装置に関するものである。
【背景技術】
【０００２】
近年、携帯電話やパーソナルコンピュータ等の電子機器の小型化や軽量化が進む中、固定筐体に対し可動筐体が開閉可能に装着された、所謂、折畳み式のものが増えており、これらに用いられる開閉装置においても、開閉操作が確実でより使い易いものが求められている。
【０００３】
このような従来の開閉装置について、図４及び図５を用いて説明する。
【０００４】
図５は従来の開閉装置の分解斜視図であり、同図において、１は左側面に固定部１Ａが形成された略円筒状の固定体、２は略円柱状の固定軸で、固定軸２の左端部に固定体１が固着されると共に、固定体１の右側面中央からは固定軸２が右方へ突出している。
【０００５】
そして、３は略円筒状の固定ケースで、この左側面から固定部１Ａを突出させて、固定体１が固定ケース３に固着され一体化されると共に、固定ケース３の左端部には切欠部３Ａが設けられている。
【０００６】
また、４は多角形状で略リング状の可動体、５は略円筒状の可動ケースで、可動体４が可動ケース５の右内側面に固着されて一体化されると共に、これらは固定体１に対し開閉方向へ回転可能に配置されている。
【０００７】
さらに、６は固定体１右側面と可動体４左側面の間にやや捩られた状態で配置されたコイル状のばねで、左端の突出部６Ａが固定ケース３の切欠部３Ａに、右端の突出部６Ｂが可動体４の切欠部４Ａに各々係止され、このばね６によって可動体４が固定体１に対し、反時計方向の開方向へ付勢されている。
【０００８】
また、固定軸２の右端部が可動体４の中空部やばね６を挿通し、止め輪７によって可動ケース５右側面に回転可能に装着されると共に、可動ケース５左側面から固定体１の固定部１Ａが回転可能に突出し、これら固定体１や可動体４、ばね６等が可動ケース５内に収納されて、開閉装置１０が構成されている。
【０００９】
そして、このように構成された開閉装置１０は、例えば、図４（ｂ）の携帯電話の斜視図に示すように、固定体１の固定部１Ａが上面に複数のキーからなる操作部２２Ａやマイクロフォン等の音声入力部２２Ｂが形成された固定筐体２２へ、可動ケース５右端の多角形状部５Ａ外周が、表面にＬＣＤ等の表示部２３Ａやスピーカ等の音声出力部２３Ｂが形成された可動筐体２３へ各々固着され、開閉装置１０によって固定筐体２２に対して可動筐体２３が開閉可能に軸支されて電子機器が構成される。
【００１０】
以上の構成において、図４（ａ）に示すように、可動筐体２３が閉じた状態では、開閉装置１０のばね６が最も捩られた状態であるため、可動体４は固定体１に対して反時計方向の開方向へ付勢されているが、固定筐体２２と可動筐体２３の間に設けられた鍵状の爪部（図示せず）によって、可動筐体２３が固定筐体２２に係止されているため、可動筐体２３は閉じた状態で保持されている。
【００１１】
そして、この閉状態から、固定筐体２２側面の押釦２４を押圧操作すると、爪部が外れ、ばね６によって可動体４が反時計方向の開方向へ付勢されるため、図４（ｂ）に示すように、可動筐体２３に開く方向の力が加わる。
【００１２】
また、この後、図４（ｃ）に示すように、可動筐体２３が固定筐体２２に対して１５０〜１７０度前後の所定角度に開くと、固定筐体２２と可動筐体２３の間に別途設けられたストッパ機構（図示せず）によって、開閉装置１０の開方向への力が止められ、可動筐体２３が所定角度に開いた状態が保持される。
【００１３】
つまり、押釦２４を押圧操作することによって、可動ケース５を介して可動筐体２３に固着され、ばね６により開方向へ付勢された可動体４を回転させて、固定筐体２２に対する可動筐体２３の開閉操作が行われるように構成されているものであった。
【００１４】
なお、この出願の発明に関連する先行技術文献情報としては、例えば、特許文献１が知られている。
【特許文献１】特開２００２−３３５３１６号公報
【発明の開示】
【発明が解決しようとする課題】
【００１５】
しかしながら、上記従来の開閉装置においては、押釦２４を押圧操作して可動筐体２３を所定角度まで開き、固定筐体２２と可動筐体２３の間のストッパ機構によって開閉装置１０の開方向への力を止める際、ばね６に付勢された可動体４の回転力が衝撃となって固定筐体２２や可動筐体２３に伝わり、緩く握った状態ではこの衝撃によって電子機器を落下させてしまう場合があるため、固定筐体２２と可動筐体２３との間に、ゴム等の弾性体によるダンパー機構を別途設ける必要があり、機器の構成が複雑なものとなってしまうという課題があった。
【００１６】
本発明は、このような従来の課題を解決するものであり、開いた時の衝撃が少なく、簡易な構成で確実な開閉操作が可能な開閉装置を提供することを目的とする。
【課題を解決するための手段】
【００１７】
上記目的を達成するために本発明は、以下の構成を有するものである。
【００１８】
本発明の請求項１に記載の発明は、側面中央に固定軸が突出した固定体と、この固定体に対し回転可能に配置された可動体の間に略円筒状のロータを配置し、ロータ両端と固定体及び可動体の対向面に、所定の間隙を空けたカム部を設けると共に、固定軸外周とロータ内周の間に潤滑層を形成して開閉装置を構成したものであり、可動体がある程度回転して可動体とロータのカム部が当接した後、開ききるまでの間は、カム部が当接したロータを介して潤滑層の粘性が可動体に加わり、可動体の回転が緩やかになるため、開いた時の衝撃が少なく、簡易な構成で確実な開閉操作が可能な開閉装置を得ることができるという作用を有する。
【００１９】
請求項２に記載の発明は、請求項１記載の発明において、固定体外周とこれらを収納した可動ケース内周の間に潤滑層を形成したものであり、請求項１記載の作用に加え、開いた直後から可動体を緩やかに回転させることができるという作用を有する。
【発明の効果】
【００２０】
以上のように本発明によれば、簡易な構成で、確実な開閉操作が可能な開閉装置を実現することができるという有利な効果が得られる。
【発明を実施するための最良の形態】
【００２１】
以下、本発明の実施の形態について、図１〜図４を用いて説明する。
【００２２】
なお、これらの図面の内、断面図は固定カムと可動カムの関係を判り易くするため、径方向を拡大して表わしている。
【００２３】
また、背景技術の項で説明した構成と同一構成の部分には同一符号を付して、詳細な説明を簡略化する。
【００２４】
（実施の形態）
図１は本発明の一実施の形態による開閉装置の断面図、図２は同分解斜視図であり、同図において、１１は左側面に固定部１１Ａが形成された略円筒状で合成樹脂、或いは鋼や銅合金、焼結合金等の固定体、２は略円柱状の固定軸で、固定軸２の左端部には固定体１１が固着され、固定体１１の右側面中央から固定軸２が右方へ突出すると共に、固定体１１右側面外周には右方へ突出するカム部１１Ｂが設けられている。
【００２５】
そして、３は略円筒状で合成樹脂や金属製の固定ケースで、この左側面から固定部１１Ａを突出させて、固定体１１が固定ケース３に固着され一体化されると共に、固定ケース３の左端部には切欠部３Ａが設けられている。
【００２６】
また、１４は多角形状で合成樹脂や金属製の略リング状の可動体、５は略円筒状の可動ケースで、可動体１４が可動ケース５の右内側面に固着されて一体化されると共に、これらは固定体１１に対し開閉方向へ回転可能に配置され、可動体１４左側面外周には左方へ突出するカム部１４Ａが設けられている。
【００２７】
さらに、６は固定体１１右側面と可動体１４左側面の間にやや捩られた状態で配置されたコイル状のばねで、左端の突出部６Ａが固定ケース３の切欠部３Ａに、右端の突出部６Ｂが可動体１４の切欠部１４Ｂに各々係止され、このばね６によって可動体１４が固定体１１に対し、反時計方向の開方向へ付勢されている。
【００２８】
そして、１８は固定体１１と可動体１４の間に配置された略円筒状のロータで、ばね６と共に固定ケース３内に収納されると共に、ロータ１８両端の固定体１１及び可動体１４との対向面には、各々左右方向へ突出するカム部１８Ａと１８Ｂが設けられている。
【００２９】
なお、図３（ａ）の部分斜視図に示すように、このロータ１８左端のカム部１８Ａと固定体１１右側面のカム部１１Ｂとの間、及び右端のカム部１８Ｂと可動体１４左側面のカム部１４Ａとの間には、各々所定の間隙Ｌ１とＬ２が空けられている。
【００３０】
また、図１に示すように、ロータ１８内周とこの中を挿通する固定軸２外周との間には、高粘性のシリコン系等のグリスが塗布されて潤滑層１９が形成されている。
【００３１】
さらに、固定軸２の右端部が可動体１４の中空部を挿通し、止め輪７によって可動ケース５右側面に回転可能に装着されると共に、可動ケース５左側面から固定体１１の固定部１１Ａが回転可能に突出し、これら固定体１１や可動体１４、ばね６等が可動ケース５内に収納されて、開閉装置２０が構成されている。
【００３２】
そして、このように構成された開閉装置２０は、例えば、図４（ｂ）の携帯電話の斜視図に示すように、固定体１１の固定部１１Ａが上面に複数のキーからなる操作部２２Ａやマイクロフォン等の音声入力部２２Ｂが形成された固定筐体２２へ、可動ケース５右端の多角形状部５Ａ外周が、表面にＬＣＤ等の表示部２３Ａやスピーカ等の音声出力部２３Ｂが形成された可動筐体２３へ各々固着され、開閉装置２０によって固定筐体２２に対して可動筐体２３が開閉可能に軸支されて電子機器が構成される。
【００３３】
以上の構成において、図４（ａ）に示すように、可動筐体２３が閉じた状態では、開閉装置２０のばね６が最も捩られた状態であるため、可動体１４は固定体１１に対して反時計方向の開方向へ付勢されているが、固定筐体２２と可動筐体２３の間に設けられた鍵状の爪部（図示せず）によって、可動筐体２３が固定筐体２２に係止されているため、可動筐体２３は閉じた状態で保持されている。
【００３４】
そして、この閉状態から、固定筐体２２側面の押釦２４を押圧操作すると、爪部が外れ、ばね６によって可動体１４が反時計方向の開方向へ付勢されるため、図４（ｂ）に示すように、可動体１４が固着された可動筐体２３に開く方向の力が加わり、可動筐体２３が９０度前後の角度まで速やかに開く。
【００３５】
また、この時、図３（ｂ）に示すように、可動体１４の開方向への回転に伴って左側面のカム部１４Ａも回転し、間隙Ｌ２がなくなって、カム部１４Ａがロータ１８右端のカム部１８Ｂに当接する。
【００３６】
そして、この後、図４（ｂ）の状態から図４（ｃ）に示すように、可動筐体２３が固定筐体２２に対して１５０〜１７０度前後の所定角度に開くまでの間は、カム部１８Ｂをカム部１４Ａに押圧されたロータ１８が、ばね６に付勢された可動体１４と共に開方向へ回転する。
【００３７】
なお、この時、ロータ１８内周とこの中を挿通する固定軸２外周との間には、高粘性の潤滑層１９が形成されているため、このロータ１８内周と固定軸２外周間の粘性によって、図４（ｂ）から図４（ｃ）の角度に開くまでの間の、可動筐体２３の開操作は緩やかに行われる。
【００３８】
そして、図３（ｃ）に示すように、間隙Ｌ１もなくなり、ロータ１８左端のカム部１８Ａが固定体１１右側面のカム部１１Ｂに当接すると、これによって可動体１４の開方向への回転が止められ、図４（ｃ）に示すように、可動筐体２３が所定角度に開いた状態が保持される。
【００３９】
つまり、押釦２４を押圧操作することによって、可動ケース５を介して可動筐体２３に固着され、ばね６により開方向へ付勢された可動体１４を回転させて、固定筐体２２に対する可動筐体２３の開閉操作を行うと共に、図４（ａ）から図４（ｂ）の角度に開くまでの、カム部１４Ａがカム部１８Ｂに当接するまでの間は、可動筐体２３は速やかに開くが、図４（ｂ）から図４（ｃ）の角度に開くまでの間は、ロータ１８内周と固定軸２外周間の潤滑層１９の粘性によって、緩やかに開操作が行われる。
【００４０】
従って、可動筐体２３が図４（ｃ）の状態に開いた際、ばね６に付勢された可動体１４の回転力が衝撃となって固定筐体２２や可動筐体２３に伝わることがないため、固定筐体２２や可動筐体２３にゴム等の弾性体によるダンパー機構を別途設けなくとも、この衝撃によって電子機器を落下させてしまうことがなくなると共に、ロータ１８のカム部１８Ａと固定体１１のカム部１１Ｂの当接によって、簡易な構成で、所定角度での可動筐体２３の保持が確実に行えるように構成されている。
【００４１】
なお、ロータ１８内周と固定軸２外周間に加え、固定体１１と一体化された固定ケース３外周と可動ケース５内周との間にも潤滑層１９を形成すれば、図４（ｂ）の角度までの間も可動筐体２３が比較的緩やかに開き、この後、図４（ｃ）の角度までの間はさらに緩やかに開操作が行われるようにすることができる。
【００４２】
また、ロータ１８両端のカム部１８Ａと１８Ｂ、及び固定体１１のカム部１１Ｂと可動体１４のカム部１４Ａの形状を変え、各カム間の所定の間隙Ｌ１とＬ２を変えることによって、比較的速やかに開くまでの角度と、この後の緩やかに開くまでの角度を自由に設定することも可能となる。
【００４３】
このように本実施の形態によれば、固定体１１と可動体１４の間に略円筒状のロータ１８を配置し、ロータ１８両端と固定体１１及び可動体１４の対向面に、所定の間隙Ｌ１、Ｌ２を空けたカム部を設けると共に、固定軸２外周とロータ１８内周の間に潤滑層１９を形成することによって、可動体１４がある程度回転して可動体１４とロータ１８のカム部１４Ａと１８Ｂが当接した後、開ききるまでの間は、潤滑層１９の粘性が可動体１４に加わり、可動体１４の回転が緩やかになるため、開いた時の衝撃が少なく、簡易な構成で確実な開閉操作が可能な開閉装置を得ることができるものである。
【００４４】
そして、固定体１１と一体化された固定ケース３外周と可動ケース５内周との間にも潤滑層１９を形成することによって、ある程度の角度までの間も可動筐体２３が比較的緩やかに開き、この後、開ききるまでの角度までの間はさらに緩やかに開操作が行われるようにすることができる。
【００４５】
なお、以上の説明では、別部品である可動体１４と可動ケース５、或いは、固定体１１と固定軸２、固定ケース３を固着して、可動側部品と固定側部品を形成する構成として説明したが、部品の製作加工は困難となるが、これら二つ或いは三つの部品を各々一体化したものとしても、本発明の実施は可能である。
【００４６】
また、可動体１４を固定体１１に対し開方向へ付勢する手段として、これらの間に配置されたコイル状のばね６の捩り力を用いる構成について説明したが、圧縮コイルばね等を用い、このばねによって可動体１４の突起部を固定体１１の傾斜部に弾接させる等、様々な構成で可動体１４を開方向へ付勢することも可能である。
【００４７】
さらに、固定軸２外周とロータ１８内周間、或いは固定ケース３外周と可動ケース５内周間に形成する潤滑層１９としては、フッ素系やエステル系、グリコール系のグリスを塗布しても可能であるが、高性能及び低温での安定性等が得られるものとして、シリコン系やオレフィン系等のグリスが好ましい。
【産業上の利用可能性】
【００４８】
本発明による開閉装置は、簡易な構成で、開閉操作が確実なものを得ることができ、各種電子機器に使用される開閉装置として有用である。
【図面の簡単な説明】
【００４９】
【図１】本発明の一実施の形態による開閉装置の断面図
【図２】同分解斜視図
【図３】同部分斜視図
【図４】携帯電話の斜視図
【図５】従来の開閉装置の分解斜視図
【符号の説明】
【００５０】
２  固定軸
３  固定ケース
３Ａ  切欠部
５  可動ケース
５Ａ  多角形状部
６  ばね
６Ａ、６Ｂ  突出部
７  止め輪
１１  固定体
１１Ａ  固定部
１１Ｂ  カム部
１４  可動体
１４Ａ  カム部
１４Ｂ  切欠部
１８  ロータ
１８Ａ、１８Ｂ  カム部
１９  潤滑層
２０  開閉装置
２２  固定筐体
２２Ａ  操作部
２２Ｂ  音声入力部
２３  可動筐体
２３Ａ  表示部
２３Ｂ  音声出力部
２４  押釦
【図１】
2006153227.tif 000003
【図２】
2006153227.tif 000004
【図３】
2006153227.tif 000005
【図４】
2006153227.tif 000006
【図５】
2006153227.tif 000007